(57)【要約】【課題】希望する番組表情報を容易にかつ良好な視認性で表示することができる電子番組表の表示方法および表示制御装置を提供する。【解決手段】表示部を有する放送受信装置において、複数の放送局の電子番組表情報を格納し、電子番組表情報から放送局ごとの番組表情報を生成し、複数の放送局にそれぞれ対応して設けられた複数の選択表示キー１０と、選択表示キーにより選択された放送局の番組表情報とを表示部の同一画面に表示する。【選択図】  図１
2009194809.tif 000002
【特許請求の範囲】
【請求項１】
表示部を有する放送受信装置における電子番組表の表示方法において、
複数の放送局の電子番組表情報を格納手段に格納し、
前記電子番組表情報から放送局ごとの番組表情報を生成し、
前記複数の放送局にそれぞれ対応して設けられた複数の選択表示キーと、選択表示キーにより選択された放送局の番組表情報と、を前記表示部の同一画面に表示する、
ことを特徴とする電子番組表の表示方法。
【請求項２】
前記選択された放送局の番組表情報は、当該放送局の一日分の番組が時系列配置される形式で表示されることを特徴とする請求項１に記載の電子番組表の表示方法。
【請求項３】
前記選択された放送局の番組表情報は、当該放送局の一日分の番組のうち、現在時刻以降の番組が選択可能に時系列配置される形式で表示されることを特徴とする請求項２に記載の電子番組表の表示方法。
【請求項４】
前記選択された放送局の番組表情報は、当該放送局の現在時刻以降の一日分の番組が時系列配置される形式で表示されることを特徴とする請求項２に記載の電子番組表の表示方法。
【請求項５】
複数の表示形式を用意しておき、選択された表示形式で、前記複数の選択表示キーと選択された放送局の番組表情報とを前記表示部の同一画面に表示することを特徴とする請求項１−４のいずれかに記載の電子番組表の表示方法。
【請求項６】
表示部を有する放送受信装置における電子番組表の表示制御装置において、
複数の放送局の電子番組表情報を格納する格納手段と、
前記電子番組表情報から放送局ごとの番組表情報を生成する番組表情報生成手段と、
前記複数の放送局にそれぞれ対応して設けられた複数の選択表示キーと、選択表示キーにより選択された放送局の番組表情報と、を前記表示部の同一画面に表示する制御手段と、
を有することを特徴とする電子番組表の表示制御装置。
【請求項７】
前記複数の選択表示キーと選択された放送局の番組表情報とを前記表示部の同一画面に表示する表示形式を少なくとも１つ格納する表示形式格納手段を更に有することを特徴とする請求項６に記載の電子番組表の表示制御装置。
【請求項８】
前記選択された放送局の番組表情報は、当該放送局の一日分の番組が時系列配置される形式で表示されることを特徴とする請求項６または７に記載の電子番組表の表示制御装置。
【請求項９】
前記選択された放送局の番組表情報は、当該放送局の一日分の番組のうち、現在時刻以降の番組が選択可能に時系列配置される形式で表示されることを特徴とする請求項６または７に記載の電子番組表の表示制御装置。
【請求項１０】
前記選択された放送局の番組表情報は、当該放送局の現在時刻以降の一日分の番組が時系列配置される形式で表示されることを特徴とする請求項６または７に記載の電子番組表の表示制御装置。
【請求項１１】
前記表示形式格納手段には複数の表示形式が格納され、選択された表示形式で、前記複数の選択表示キーと選択された放送局の番組表情報とを前記表示部の同一画面に表示することを特徴とする請求項７−１０のいずれかに記載の電子番組表の表示制御装置。
【請求項１２】
請求項６−１１のいずれか１項に記載の電子番組表の表示制御装置を有する放送受信装置。
【請求項１３】
表示部を有する放送受信装置におけるコンピュータに電子番組表の表示制御を実行させるためのプログラムにおいて、
複数の放送局の電子番組表情報を格納手段に格納する機能と、
前記電子番組表情報から放送局ごとの番組表情報を生成する機能と、
前記複数の放送局にそれぞれ対応して設けられた複数の選択表示キーと、選択表示キーにより選択された放送局の番組表情報と、を前記表示部の同一画面に表示する機能と、
を前記コンピュータに実現することを特徴とするプログラム。
【請求項１４】
前記選択された放送局の番組表情報は、当該放送局の一日分の番組が時系列配置される形式で表示されることを特徴とする請求項１３に記載のプログラム。
【発明の詳細な説明】
【技術分野】
【０００１】
本発明は放送受信装置における電子番組表の表示方法および表示制御装置に関する。
【背景技術】
【０００２】
一般に、デジタル放送の多くは放送局ごとに番組表情報を配信しており、デジタル対応の受信機などでは常に番組表を見ることができる。また配信された番組表情報を利用して番組の検索や予約が可能なＤＶＤレコーダなども市販されている。
【０００３】
ところが放送局の数が多くなると、番組表を表示しても非常に見にくくなるという問題が生じている。通常、図９に示すように、放送局名および放送時間をそれぞれ縦軸および横軸（あるいはその逆）にした表示方法が取られている。
【０００４】
図９に示す表示方法では、文字の見易さを考慮するため、ある程度の文字サイズを必要とする。このために、番組表が表示される表示エリア３０１は数時間程度の幅となり、表示されていない時間帯への移動は、ユーザがリモコン等の矢印キーを使用して画面をスクロールさせなければならない。
【０００５】
例えば、図９の番組表において番組Ａ１にカーソル(図上、太線で表示)がある場合、この表示状態では、22：00の番組表を見ようとすれば、番組Ａから22：00までに存在する番組の回数分、リモコンの矢印キーを押すことになる。また、受信可能な放送局が多い場合には、表示エリア３０１にはその一部の放送局だけが表示されるために、その他の非表示エリア３０２の放送局は表示されていない。したがって、非表示エリア３０２の放送局の番組表を見ようとすれば、そこから矢印キーを上もしくは下に数回押す必要がある。このように、かなり面倒な作業となり利便性に欠けていた。
【０００６】
このような番組表を効率よく表示する方法が種々提案されている。たとえば特許文献１に開示された電子番組ガイド表示装置では、チャンネル群選択タブにより多数のチャンネルがグループ化され、さらに時間帯タブによりかなり広い時間帯（たとえば５−１６時）に区切って表示される。
【０００７】
【特許文献１】特開２００３−３２５６８号公報（図３、段落００５４〜００５５参照）
【発明の開示】
【発明が解決しようとする課題】
【０００８】
しかしながら、特許文献１に開示された表示方法では、ある程度の見やすさを考慮しているため、文字サイズに限界があり一日分の番組表を一画面で表示できない。たとえば、５−１６時の時間帯タブにカーソルがある場合、１７−２８時の時間帯を観るためにはタブを切り替える必要がある。このように、画面に表示されていないあるいはアクティブになっていない時間帯あるいは放送局への移動はユーザがリモコンの矢印キーを操作して番組表をスクロールあるいは切り替える必要があった。
【０００９】
また、特許文献１にようにチャンネル群タブを表示する方法では、多くの場合ユーザに必要のないチャンネルまで含まれている。このために、ユーザは所望のチャンネルが含まれるチャンネル群タブを開き、さらに、その中から希望するチャンネルを選択すると共に、時間帯まで選択しなければならない。これらの切り替え作業は大変面倒である。
【００１０】
本来、新聞欄のように全放送局の番組表を１ページ（一画面）でみることが望ましいが、ある程度の距離をおいて視聴するＴＶモニタの場合、新聞とは異なり、ＴＶ画面サイズ、解像度などの制限があるために一日分の番組表すべてを一画面で表示できない。この制限を緩和するために特許文献１のような提案がされているわけであるが、上述したようにユーザにとって十分便利な番組表が表示されるとは言い難い。
【００１１】
そこで、本発明の目的は、希望する番組表情報を容易にかつ良好な視認性で表示可能な電子番組表の表示方法および表示制御装置を提供することにある。
【課題を解決するための手段】
【００１２】
本発明による電子番組表の表示方法は、表示部を有する放送受信装置における電子番組表の表示方法であって、複数の放送局の電子番組表情報を格納手段に格納し、前記電子番組表情報から放送局ごとの番組表情報を生成し、前記複数の放送局にそれぞれ対応して設けられた複数の選択表示キーと、選択表示キーにより選択された放送局の番組表情報と、を前記表示部の同一画面に表示する、ことを特徴とする。
【発明の効果】
【００１３】
本発明によれば、放送局ごとの選択表示キーと選択表示キーにより選択された放送局の番組表情報とが同一画面に表示されるので、ユーザが希望する番組表情報を容易にかつ良好な視認性で表示することができる。
【発明を実施するための最良の形態】
【００１４】
１．実施形態
図１は本発明の一実施形態による番組表の表示構成例を示す図である。後述するように、図１に示す表示構成例は、ＴＶモニタ等の表示部の画面に表示される。本実施形態によれば、放送局ごとに選択キー１０（ここではタブ）で区切ることにより、１日分（２４時間分）の番組表を時系列で見やすい文字サイズのまま一画面で表示することができる。
【００１５】
図１に示す例では、放送局Ａの選択キー１０がアクティブになって開かれ、放送局Ａが放送する一日の番組表全体が表示されている。ユーザは、使い慣れたリモコン操作により、一日の番組表から所望の番組Ａへカーソルを移動させ選択決定するだけでよい。一般に、放送局数が多くなっても、ユーザがよく視聴する放送局はある程度決まっているものであり、ユーザは好みの放送局がどのリモコンキーに割り当てられているかをよく記憶している。したがって、画面に表示された放送局選択キー１０をみてユーザが選択することは、ユーザにとってストレスのない操作である。特に、選択キー１０がタブであれば、選択キー１０と放送局の番組表との対応が一目瞭然である。
【００１６】
また、放送局Ａから放送局Ｂへの選択キー切り替えについては、あらかじめリモコンキーに放送局を割り当てておけば、リモコンの矢印キーを操作しなくてもボタン一発で切り替えることができる。そして放送局Ｂの選択キーがアクティブになって、放送局Ｂが放送する一日の番組表全体を表示される。
【００１７】
このように放送局ごとに一日分の番組表が表示されるので、視認性の悪化やリモコンキー操作の煩わしさを大幅に軽減させることができる。
【００１８】
なお、放送が終了した番組については、番組表の背面を灰色に設定するなど一目で今後の番組情報が分かるようにすればよい。また、カーソルを移動できないようにして、過去の番組を予約しようとするユーザの誤操作を防ぐ工夫も望ましい。ここでは番組表の先頭を0：00としているが、この表示方法においては過去の放送番組部分については番組表背面を灰色にする等の設定を行い一目で今後の番組情報が分かるようにする。たとえば現時の時刻を21:00とした場合、0：00〜20：59までの番組表の背面を灰色にする、あるいは過去の番組をカーソルで選択できないようにする。これにより過去の番組を予約するといった誤操作を防ぐことができる。
【００１９】
さらに、放送局ごとに一日分の番組表を表示可能なので、深夜などで番組が放送されていない場合には番組表欄を空欄にするのではなく、その時間帯を詰めて表示することにより、できるだけ多くの情報を表示できるようにすることも可能である。
【００２０】
また、図１の表示構成例では１時間の表示エリアが等間隔となっているが、放送時間等の条件により任意で変更することも可能である。たとえば、一般的に深夜で番組が放送されていない場合には空欄が表示されるので、この空欄のエリアを小さくする(時間軸を縮める)ことにより、他の時間の表示エリアを拡大させることも可能である。
【００２１】
逆に、長時間におよぶ番組については、その番組が表示すべき情報のエリアのみを確保し、それ以外のエリアを別の情報を表示するエリアに割り当てることにより、より多くの情報を表示することも可能である。
【００２２】
２．実施例
図２は本発明の一実施例による番組表の表示装置を含むデジタル放送受信機の概略的構成を示すブロック図である。ここでは、デジタル対応のテレビ受信機１００を例示するが、同様の機能を有するレコーダ、ラジオ、携帯情報端末などでもよい。また、デジタルテレビジョン信号の伝送媒体は無線でも有線でもよいし、地上波デジタル放送やインターネットを介した放送でもよい。
【００２３】
テレビ受信機１００は、デジタル放送を受信可能なＴＶチューナ１０１、映像情報および音声情報を分離してそれぞれ処理する映像音声処理部１０２、映像や番組表を表示する表示部１０３、および音声を再生するスピーカ１０４を有する。また、テレビ受信機１００には、ＴＶチューナ１０１で受信した信号から電子番組ガイド（ＥＰＧ：Electronic Program Guide）を抽出するＥＰＧ情報抽出部１０５が設けられ、抽出された番組表情報が番組表情報メモリ１０６に格納される。ＴＶチューナ１０１、ＥＰＧ情報抽出部１０５および映像音声処理部１０２の動作や抽出された番組表情報の格納動作は制御部１０７により制御される。
【００２４】
さらに、本実施例によるテレビ受信機１００には、図１に示すような放送局別タブの表示形式で表示情報を構築するための表示情報生成部１０８と、表示形式を格納する表示形式メモリ１０９を有する。また、テレビ受信機１００にはリモコン受信部１１０が設けられ、ユーザが操作するリモコン１２０からチャンネル切替などの指示を受信する。
【００２５】
リモコン１２０は、一般的に使用されているものであり、リモコン送信部１２１と種々の指示を入力するための操作部１２２とを有する。後述するように、制御部１０７の制御により、表示情報生成部１０８は、番組表情報メモリ１０６から番組表情報を入力し、表示形式メモリ１０９の表示形式に従って放送局別タブによる表示情報を生成する。生成された番組表の表示情報は映像音声処理部１０２を通して表示部１０３に出力され、図１に示すような放送局別タブの表示形式で表示される。
【００２６】
図３は本実施例で使用される電子番組ガイド情報の一例を示す図である。ここでは、一般的なＥＰＧ情報のうち関連する情報だけを部分的に示している。ＥＰＧ情報には、放送局ごとに関連づけられた放送日、開始時刻、終了時刻および番組名が含まれているものとする。この例を用いて、以下、本実施例の動作を説明する。
【００２７】
図４は本実施例の動作を概略的に示すフローチャートである。まず、ユーザがリモコン１２０を操作して番組表の表示を選択すると、その指示がリモコン送信部１２１から送信され、それを受信したリモコン受信部１１０は当該指示を制御部１０７へ通知する。
【００２８】
制御部１０７は、番組表の表示指示を受けると、ＥＰＧ情報抽出部１０５から受信した番組表情報（ここではＥＰＧ情報）を番組表情報メモリ１０６に格納する（ステップＳ２０１）。続いて、制御部１０７は、表示形式メモリ１０９からデフォルトあるいは指定された表示形式を読み出し、番組表情報とともに表示情報生成部１０８へ出力する。表示情報生成部１０８は、指定された表示形式に従って放送局ごとに番組表情報を再構成する（ステップＳ２０２）。制御部１０７は、こうして再構成された番組表情報を映像音声処理部１０２へ出力し、図１に示すような放送局別タブの番組表情報を表示部１０３に表示させる（ステップＳ２０３）。
【００２９】
この表示状態において、ユーザがリモコン１２０を操作して放送局別タブの切替を指示すると（ステップＳ２０４：ＹＥＳ）、制御部１０７は選択された放送局タブの番組表情報をアクティブにし（ステップＳ２０５）、ステップＳ２０４へ戻って次の指示を待つ。またユーザがリモコン操作により表示部１０３に表示されている放送局のある番組を選択すると（ステップＳ２０６：ＹＥＳ）、制御部１０７はＴＶチューナ１０１を制御して当該放送局からの放送を受信し、映像音声処理部１０２を通して映像を表示部１０３へ音声をスピーカ１０４へそれぞれ出力する（ステップＳ２０７）。番組選択が実行されなければ（ステップＳ２０６：ＮＯ）、ステップＳ２０４へ戻って次の指示を待つ。
【００３０】
このように、本実施例によれば、デジタル放送を受信し、受信したデータから番組表を作成、表示させることができる。図１のように番組表を放送局ごとにタブで区切ることにより、一日分の番組表を一画面で表示することを可能となり、これにより番組表の視認性を向上させ、リモコン等によるキー操作の不便を解消することができる。
【００３１】
なお、制御部１０７および表示情報生成部１０８は、ＣＰＵ等のプログラム制御プロセッサ上で上記フローチャートに対応するプログラムを実行させることにより、上述した動作と同等の機能を実現することも可能である。
【００３２】
本発明により以下のような効果が得られます。
【００３３】
３．他の表示構成例
図１に示す本実施例による番組表の表示は種々の変形例が可能である。以下、他の表示構成をいくつか例示する。
【００３４】
図５は本実施例による番組表の第２の表示構成例を示す図である。ここでは、図１と同じく放送局別の選択キー（タブ）１０が表示されているが、アクティブになっている放送局の番組表は、番組表の先頭が現在の時間(番組)に設定されている。この場合も２４時間分の表示を行うため、次の日の分の番組表を一部表示できるようにすることが望ましい。たとえば、現在の日時を8/1の21:00とすれば、放送時間が20:00〜22:00の番組Ａが番組表の先頭にくるように先頭時刻を20：00とする。この際、２４時間分を表示するため8/2の20：00までの番組表を一画面で表示することが望ましい。この表示方法では、図１で説明したような過去の番組表背面を灰色にして誤操作を防止する処理は不要となる。
【００３５】
図６は本実施例による番組表の第３の表示構成例を示す図である。ここでは、図１と同じく放送局別の選択キー（タブ）１０が表示されているが、アクティブになっている放送局の番組表は、２４時間表示ではなく、その日の残りの時間のみを表示させる。これによって番組表をさらに拡大し見やすくなり、視認性を向上させることができる。
【００３６】
図７は本実施例による番組表の第４の表示構成例を示す図である。ここでは、図１と同じく放送局別の選択キー（タブ）１０が表示されているが、アクティブになっている放送局の番組表は、図１のように横方向の時系列配置とは異なり、縦方向に時系列配置されている。このような配列の仕方は表示形式を選択することで適宜変更可能である。
【００３７】
図８は本実施例による番組表の第５の表示構成例を示す図である。ここでは、図１とは異なり、放送局別の選択キーがタブではなく放送局名のボタン２０として表示されている。この場合には、表示されている放送局のボタンの色を変えることにより（図中の斜線部）、どの放送局の番組表が表示されているのかが一目で分かるようにすることが望ましい。
【００３８】
なお、ボタン２０の位置は上下左右のどこでもよいしボタン２０の形も問わない。上述したように放送局ごとにリモコンキー番号を割り当てておけば、ユーザはリモコン１２０を操作するだけで、所望の放送局へ切り替えることができる。したがって、パソコンでマウスを操作する場合とは異なり、ボタン２０は画面上で見やすい位置にあればよい。
【００３９】
なお、上述した図１、図５〜図８に示す表示形式は、どれかひとつを限定するものではなく、表示形式メモリ１０９からユーザの好みの形式をも選択すればよい。
【００４０】
また、放送局Ａから放送局Ｂへのタブ切り替えについても、あらかじめリモコンに割り当てられた番号を押せば切り替わるようにできる。したがって、任意の放送局へボタン一発で移動できるため、リモコンキー操作の煩わしさがない。
【産業上の利用可能性】
【００４１】
本発明は、デジタル放送を受信し受信したデータから電子番組表を表示可能な表示機器もしくはレコーダ機器などに適用可能である。
【図面の簡単な説明】
【００４２】
【図１】本発明の一実施形態による番組表の表示構成例を示す図である。
【図２】本発明の一実施例による番組表の表示装置を含むデジタル放送受信機の概略的構成を示すブロック図である。
【図３】本実施例で使用される電子番組ガイド情報の一例を示す図である。
【図４】本実施例の動作を概略的に示すフローチャートである。
【図５】本実施例による番組表の第２の表示構成例を示す図である。
【図６】本実施例による番組表の第３の表示構成例を示す図である。
【図７】本実施例による番組表の第４の表示構成例を示す図である。
【図８】本実施例による番組表の第５の表示構成例を示す図である。
【図９】一般的な番組表の表示構成例を示す図である。
【符号の説明】
【００４３】
１０  選択きー（タブ）
１００  テレビ受信機
１０１  ＴＶチューナ
１０２  映像音声処理部
１０３  表示部
１０４  スピーカ
１０５  ＥＰＧ情報抽出部
１０６  番組表情報メモリ
１０７  制御部
１０８  表示情報生成部
１０９  表示形式メモリ
１１０  リモコン受信部
１２０  リモコン
１２１  リモコン送信部
１２２  操作部
【図１】
2009194809.tif 000003
【図２】
2009194809.tif 000004
【図３】
2009194809.tif 000005
【図４】
2009194809.tif 000006
【図５】
2009194809.tif 000007
【図６】
2009194809.tif 000008
【図７】
2009194809.tif 000009
【図８】
2009194809.tif 000010
【図９】
2009194809.tif 000011